(57)【要約】【課題】押入れ等の収納空間を収納品に応じたサイズで自在に仕切ることが可能な仕切構造を提供する。【解決手段】収納空間Ｓに左右方向に延びるように設けられたガイドレール１１，１１，１１と、各ガイドレール１１をスライド移動し、かつ側板７に取り付けられるスライダ１３，１３，１３と、を備え、ガイドレール１１，１１，１１の所定位置でのスライダ１３，１３，１３のスライド移動が規制されることにより、側板７が所定位置に固定される。【選択図】図２
2016003547.tif 000002
【特許請求の範囲】
【請求項１】
収納空間を左右方向に仕切る仕切パネルを備えた収納空間の仕切構造であって、
上記収納空間に左右方向に延びるように設けられたガイドレールと、
該ガイドレールにスライド移動可能に支持され、かつ上記仕切パネルに取り付けられるスライダと、を備え、
上記ガイドレールの所定位置での上記スライダのスライド移動が規制されることにより、上記仕切パネルが該所定位置に固定されるようになっていることを特徴とする収納空間の仕切構造。
【請求項２】
請求項１に記載の収納空間の仕切構造において、
上記収納空間は、前方に開口され、
上記ガイドレールは、上記収納空間の少なくとも上部前後両端部にそれぞれ左右方向に延びるように設けられ、
上記スライダは、上記仕切パネルの少なくとも上部前後両端部にそれぞれ取り付けられ、
上記仕切パネルの下部は、上記収納空間の下部に固定されていることを特徴とする収納空間の仕切構造。
【請求項３】
請求項２に記載の収納空間の仕切構造において、
上記ガイドレールは、上記収納空間の上部前後両端部及び下部後端部にそれぞれ左右方向に延びるように設けられ、
上記スライダは、上記仕切パネルの上部前後両端部及び下部後端部にそれぞれ取り付けられ、
上記仕切パネルの下部前端部は、上記収納空間の下面に固定されていることを特徴とする収納空間の仕切構造。
【請求項４】
請求項１乃至３のいずれか１項に記載の収納空間の仕切構造において、
上記ガイドレールにスライド移動可能に設けられ、物品を吊下支持する吊下支持具をさらに備えることを特徴とする収納空間の仕切構造。
【請求項５】
請求項１乃至４のいずれか１項に記載の収納空間の仕切構造に用いられる棚板であって、
一対の上記仕切パネル間に配設される棚板本体と、該仕切パネルに取り付けられて上記棚板本体の長さ方向両端部を支持する複数の支持具と、を備え、
上記棚板本体の下面には、該棚板本体の長さ方向全体に亘って延びている複数の凹溝が少なくとも長さ方向と直交する幅方向に互いに間隔をあけて設けられ、
上記各支持具は、一方の上記仕切パネルに取り付けられる支持具本体と、該支持具本体から上方に突出して上記凹溝に嵌め込まれる嵌込部と、を有することを特徴とする収納空間の仕切構造に用いられる棚板。
【請求項６】
請求項５に記載の収納空間の仕切構造において、
上記嵌込部の側面には、上記凹溝の側面に係合して該嵌込部に対する上記棚板本体の移動を規制する規制手段が設けられていることを特徴とする収納空間の仕切構造に用いられる棚板。
【発明の詳細な説明】
【技術分野】
【０００１】
本発明は、例えば押入れやクローゼット等の収納空間を仕切る構造及びこの仕切構造に用いられる棚板に関する。
【背景技術】
【０００２】
市場では内部収納用品として押入れやクローゼット等の収納空間の壁面に固定されるものが販売されているが（例えば特許文献１，２参照）、住宅の新築時には予算の関係上省略されることが多い。また、収納空間に収納される物品が予め決まっていることは稀である。したがって、新築時に収納空間の仕切構造を具体的に設計することは困難である。そのため、新築時には、棚板とパイプのみを設置する場合が多い。ところが、棚板とパイプのみを設置した場合には、収納としての使い勝手が不十分であり、市販の引出ケースやカラーボックス等の収納用品を新たに追加して購入すること等が必要となる。
【先行技術文献】
【特許文献】
【０００３】
【特許文献１】特許第４９１６１４２号公報
【特許文献２】特開２００４−１８３３２３号公報
【発明の概要】
【発明が解決しようとする課題】
【０００４】
しかしながら、市販の収納用品はメーカー毎にサイズが設定され、また、収納用品の改廃等があり、収納空間が乱雑になる難がある。特に、市販の収納用品では、収納空間のサイズに合わないことが多く、その場合、収納空間内にデッドスペースが発生する。
【０００５】
また、新築時に内部収納用品を購入・設置したとしても、各メーカーによる内部収納用品のサイズや下地の位置関係により、メーカーに準じた商品を購入する必要があった。
【０００６】
本発明は、かかる点に鑑みてなされたものであり、その目的とするところは、押入れ等の収納空間を収納品に応じたサイズで自在に仕切ることが可能な仕切構造を提供することにある。
【課題を解決するための手段】
【０００７】
上記の目的を達成するために、本発明は、収納空間を仕切る仕切パネルをスライド移動可能とし、かつこの仕切パネルを任意の位置で固定可能としたものである。
【０００８】
具体的には、本発明は、収納空間を左右方向に仕切る仕切パネルを備えた収納空間の仕切構造を対象とし、次のような解決手段を講じた。
【０００９】
すなわち、第１の発明は、上記収納空間に左右方向に延びるように設けられたガイドレールと、該ガイドレールにスライド移動可能に支持され、かつ上記仕切パネルに取り付けられるスライダと、を備え、上記ガイドレールの所定位置での上記スライダのスライド移動が規制されることにより、上記仕切パネルが該所定位置に固定されるようになっていることを特徴とする。
【００１０】
第１の発明によれば、仕切パネルに取り付けられたスライダが左右方向に延びるガイドレールにスライド移動可能に支持されているので、仕切パネルで仕切られる空間を収納品のサイズに合わせることができる。そして、スライダのスライド移動が規制されることにより、仕切パネルを収納品のサイズに合わせた位置で固定することができる。このように、収納品のサイズに合わせて収納空間を仕切ることができる。
【００１１】
第２の発明は、第１の発明において、上記収納空間は、前方に開口され、上記ガイドレールは、上記収納空間の少なくとも上部前後両端部にそれぞれ左右方向に延びるように設けられ、上記スライダは、上記仕切パネルの少なくとも上部前後両端部にそれぞれ取り付けられ、上記仕切パネルの下部は、上記収納空間の下部に固定されていることを特徴とする。
【００１２】
第２の発明によれば、収納空間が押入やクローゼット等のように前方に開口されている場合でも、仕切パネルの上部前後両端部を収納空間の上部前後両端部に設けられたガイドレールにスライダを介して取り付けることにより、仕切パネルを左右方向にスライド移動させることができる。また、仕切パネルをガイドレールに吊り下げた状態で左右方向にスライド移動させることができるので、仕切パネルを簡単に移動させることができる。
【００１３】
第３の発明は、第２の発明において、上記ガイドレールは、上記収納空間の上部前後両端部及び下部後端部にそれぞれ左右方向に延びるように設けられ、上記スライダは、上記仕切パネルの上部前後両端部及び下部後端部にそれぞれ取り付けられ、上記仕切パネルの下部前端部は、上記収納空間の下面に固定されていることを特徴とする。
【００１４】
第３の発明によれば、仕切パネルが上部前後両端部及び下部後端部の３箇所でスライダを介してガイドレールに固定されているので、仕切パネルを安定した状態で保持することができ、さらに、仕切パネルの下部前端部が収納空間の下面に固定されるので、仕切パネル全体を左右方向の所定位置に確実に固定することができる。
【００１５】
第４の発明は、第１乃至第３のいずれか１つの発明において、上記ガイドレールにスライド移動可能に設けられ、物品を吊下支持する吊下支持具をさらに備えることを特徴とする。
【００１６】
第４の発明によれば、ガイドレールの任意の位置に物品を吊り下げることができる。
【００１７】
第５の発明は、第１乃至第４のいずれか１つの発明に係る収納空間の取付構造に用いられる棚板であって、一対の上記仕切パネル間に配設される棚板本体と、該仕切パネルに取り付けられて上記棚板本体の長さ方向両端部を支持する複数の支持具と、を備え、上記棚板本体の下面には、該棚板本体の長さ方向全体に亘って延びている複数の凹溝が少なくとも長さ方向と直交する幅方向に互いに間隔をあけて設けられ、上記各支持具は、一方の上記仕切パネルに取り付けられる支持具本体と、該支持具本体から上方に突出して上記凹溝に嵌め込まれる嵌込部と、を有することを特徴とする。
【００１８】
第５の発明によれば、棚板を両側板間に設置する際には、先ず、棚板本体を両側板の間隔に一致する寸法でカットする。そうすると、棚板本体の下面には、長さ方向全体に亘って凹溝が形成されているので、カットした断面にこの凹溝の端部が開口している。そして、このカットした棚板本体を、両側板に取り付けられた支持具の上方から載せ、凹溝の端部に支持具の嵌込部を嵌め込ませる。これにより、カットされた棚板本体が両側板に支持される。このように、従来のように棚板本体の端部に取り付ける部品を別途設ける必要が無く、また、取付現場で棚板本体をカットし、カットした棚板本体をそのまま支持具上に載せて凹溝に支持具の嵌込部を嵌め込むだけなので、加工や部材を最小限にしつつ、取付現場で寸法調整が可能であり且つ容易に設置することができる。
【００１９】
そうして、このような棚板を用いることによって、各仕切パネルを所定方向にスライド移動させてこの仕切パネル間の間隔を収納品のサイズに合わせ、各仕切パネルをその位置で固定し、その後、両仕切パネルの間隔に合わせて棚板本体をカットし、カットした棚板本体を両仕切パネルの間に設置することにより、収納空間を収納品のサイズに合わせて仕切ることができると共に、仕切られた空間に棚板も設置することができる。
【００２０】
また、第５の発明によれば、棚板本体の加工が直線状の凹溝を形成するだけなので、棚板本体の加工を容易且つ安価に行うことができる。
【００２１】
第６の発明は、第５の発明において、上記嵌込部の側面には、上記凹溝の側面に係合して該嵌込部に対する上記棚板本体の移動を規制する規制手段が設けられていることを特徴とする。
【００２２】
第６の発明によれば、嵌込部の側面に棚板本体の移動を規制する規制手段が設けられているので、棚板本体を支持具に支持させるまでに棚板本体がずれるのを抑制することができる。
【発明の効果】
【００２３】
以上、本発明によれば、押入れ等の収納空間を収納品に応じたサイズで自在に仕切ることが可能な仕切構造を提供することができる。
【図面の簡単な説明】
【００２４】
【図１】本発明の実施形態に係る収納空間の仕切構造を備えたウォークインクローゼットの一壁面を示す正面図である。
【図２】図１の矢印II方向から見た側面図である。
【図３】（ａ）は、図２のIIIa部拡大図であり、（ｂ）は、スライダの固定方法を説明するための図である。
【図４】図１のIV部拡大図である。
【図５】棚板本体を示す全体斜視図である。
【図６】支持具を示す図であって、（ａ）は平面図であり、（ｂ）は正面図であり、（ｃ）は左側面図であり、（ｄ）は右側面図である。
【図７】本発明の実施形態の変形例１に係るスライダを示す図である。
【図８】本発明の実施形態の変形例２に係るスライダのガイドレールへの取付方法を示す図であって、（ａ）はガイドレールに取り付ける前の状態を示す図であり、（ｂ）はガイドレールに取付中の状態を示す図であり、（ｃ）はガイドレール取付後の状態を示す図である。
【図９】（ａ）は、本発明の実施形態の変形例３に係るスライダを示す全体斜視図であり、（ｂ）は、本変形例に係るスライダをガイドレールに取付中の状態を示す図であり、（ｃ）は、本変形例に係るスライダをガイドレール取付後の状態を示す図である。
【発明を実施するための形態】
【００２５】
以下、本発明の実施形態を図面に基づいて説明する。尚、以下の好ましい実施形態の説明は本質的に例示に過ぎず、本発明、その適用物或いはその用途を制限することを意図するものではない。
【００２６】
図１は、建物内に形成されたウォークインクローゼットの一壁面を示す正面図である。以下、図１の右側及び左側をそれぞれ右側及び左側とする。この壁面１の上部には、前方に突出して左右方向に延びる枕棚３が設けられている。この枕棚３から床面５までの間の空間が例えば家族の所有物が収納される収納空間Ｓとして利用されている。
【００２７】
収納空間Ｓは、前方に開口されている。この収納空間Ｓは、左右方向に互いに間隔をあけて立設された５枚の側板７，７，…（仕切パネル）によって左右に仕切られており、大まかに４つの上下に細長い収納スペースＳ１，Ｓ２，Ｓ３，Ｓ４が形成されている。各側板７の左右両側面の前後両端部には、後述する棚板Ｂ１，Ｂ２，Ｂ３，Ｂ４を設置するための図示しない複数のネジ穴が上下方向に等間隔に形成されている。これら収納スペースＳ１〜Ｓ４を、右から順に第１スペースＳ１、第２スペースＳ２、第３スペースＳ３及び第４スペースＳ４とすると、第１、第２、第３及び第４スペースＳ１，Ｓ２，Ｓ３，Ｓ４がそれぞれ例えば夫、妻、長男及び次男によって利用される。これら４つのスペースＳ１〜Ｓ４の左右幅は、第２スペースＳ２が最も大きく、次に第１スペースＳ１が大きく、第３及び第４スペースＳ３，Ｓ４が最も小さく互いに略同じ大きさである。
【００２８】
各スペースＳ１〜Ｓ４の下部には、例えばポリプロピレン製衣装ケースからなるケースＣ１，Ｃ２，Ｃ３，Ｃ４がそれぞれ配設されており、各スペースＳ１〜Ｓ４の左右幅は、これらケースＣ１〜Ｃ４の左右幅に合わせて設定されている。また、これらケースＣ１〜Ｃ４の高さは互いに同一であり、上面がスペースＳ１〜Ｓ４の上下中央よりもやや低い位置にある。
【００２９】
これらケースＣ１〜Ｃ４の直ぐ上には、それぞれ棚板Ｂ１〜Ｂ４が側板７，７間に配設されている。そして、これら棚板Ｂ１〜Ｂ４の左右幅は、それぞれスペースＳ１〜Ｓ４に略一致しており、棚板Ｂ２が最も大きく、次に棚板Ｂ１が大きく、棚板Ｂ３，Ｂ４が最も小さく互いに略同じ大きさである。これら棚板Ｂ１〜Ｂ４の具体的構成については後述する。
【００３０】
収納空間Ｓの左側の第３及び第４スペースＳ３，Ｓ４の中央上寄りには、これらスペースＳ３，Ｓ４を左右に貫くパイプＰが設けられている。このパイプＰは、左から２番目の側板７を貫通し、両端が最も左側の側板７及び左から３番目の側板７に支持されている。
【００３１】
スペースＳ１〜Ｓ４の上部には、これらスペースＳ１〜Ｓ４を左右に貫くロングパイプＬＰが設けられている。このロングパイプＬＰは、上記パイプＰよりも長尺であって、中央３枚の側板７，７，７に形成された切欠き７ａ（図２参照）を貫通して、両端が左右両側の側板７，７に支持されている。
【００３２】
次に、各側板７の具体的な取付構造について説明する。図２は、図１の矢印II方向から見た図である。なお、図２では、上下方向中途部を省略し、さらにケースＣ２を省略している。
【００３３】
枕棚３の前端には、下方に延びる幕板３ａが一体に設けられており、この幕板３ａと対向するように補強桟９が壁面１に左右方向に延びるように設置されている。そして、幕板３ａの後面と補強桟９の前面とには、それぞれ左右方向に延びるガイドレール１１，１１が埋め込まれている。また、壁面１の下端部には、床面５から上側に間隔をあけてもう一つの補強桟９が左右方向に延びるように設置されている。この補強桟９の前面にも、ガイドレール１１が埋め込まれている。したがって、上記各スペースＳ１〜Ｓ４の上端前後両端部及び下部後端部に上記ガイドレール１１，１１，１１が設けられている。
【００３４】
一方、各側板７の例えば右側面の上端前後両端及び下端部後端には、それぞれスライダ１３，１３，１３が取り付けられている。これらスライダ１３，１３，１３は、それぞれ幕板３ａに設けられたガイドレール１１、上側の補強桟９に設けられたガイドレール１１及び下側の補強桟９に設けられたガイドレール１１に沿って左右方向にスライド移動可能に支持されている。
【００３５】
図３（ａ）は図２のIIIa部拡大図である。上記各ガイドレール１１は、断面略Ｃ字状をなし、左右方向に延びて前側に開口する開口部１１ｂを有するレール溝１１ａが形成されている。一方、上記各スライダ１３は、各側板７の右側面に固定される断面Ｌ字状の固定片１５と、レール溝１１ａに配設された矩形板状の規制片１７と、固定片１５と規制片１７とを連結するネジ１９と、を有している。
【００３６】
上記固定片１５は、前後方向に延びて側板７の右側面に固定される矩形板状の固定板部１５ａと、該固定板部１５ａの後端から右方に延びてガイドレール１１の外側でレール溝１１ａの開口部１１ｂと対向し、ネジ１９によって上記規制片１７と連結される連結板部１５ｂと、を有している。固定板部１５ａの前端部の上下両端部がビス止め等により側板７の右側面に固定される。一方、連結板部１５ｂには、上記ネジ１９が挿通するネジ挿通孔１５ｃが形成されている。
【００３７】
上記規制片１７は、短手方向の長さがレール溝１１ａの開口部１１ｂの上下幅よりも短く、長手方向の長さがレール溝１１ａの上下寸法よりも長い矩形板状をなしている。規制片１７の中央には、雌ネジが形成されたネジ孔１７ａが貫通している。
【００３８】
上記ネジ１９は、前側から後側に向かって順に固定片１５の連結板部１５ｂのネジ挿通孔１５ｃ、レール溝１１ａの開口部１１ｂを挿通し、また、ネジ１９には、規制片１７が螺合している。さらに、ネジ１９における規制片１７の後側の部位には、規制片１７よりも小さな矩形板状の小片２１が螺合している。この小片２１により、規制片１７がネジ１９から外れるのを防止している。
【００３９】
以上の構成を備えたスライダ１３は、規制片１７の長手方向が左右方向に略一致した状態で、開口部１１ｂからレール溝１１ａに差し込まれて、左右方向にスライド移動可能となる。そして、この状態からネジ１９を回すと、このネジ１９に螺合する規制片１７も同じく追従して回転しようとするが、上記の如く規制片１７の長手方向の長さがレール溝１１ａの上下寸法よりも大きいため、規制片１７の上下の対向する角部がレール溝１１ａの上下内面に当接すると、図３（ｂ）に実線で示すように、それ以上の回転が規制されて斜めになる。さらにネジ１９を回すと、規制片１７は回転せずにネジ１９に沿って前側に移動し、レール溝１１ａの開口部１１ｂの上下両周縁部に圧接する。そして、このことで、固定片１５の連結板部１５ｂと規制片１７との間に開口部１１ｂの上下両周縁部が挟み込まれた状態となって固定片１５がガイドレール１１にネジ止めされ、固定片１５及び規制片１７と開口部１１ｂの上下両周縁部との間に生じる摩擦により、スライダ１３の左右方向のスライド移動が規制される。
【００４０】
そして、各側板７は、すべてのスライダ１３，１３，１３がガイドレール１１，１１，１１に沿ってスライド移動可能な状態にあるときに左右方向にスライド移動可能となる一方、すべてのスライダ１３，１３，１３のスライド移動が上述のネジ止めによって規制された状態で収納空間Ｓの所定位置に固定される。
【００４１】
なお、上記各側板７は、上下寸法が枕棚３と床面５との間隔よりも短く、各側板７の下端と床面５との間には隙間Ｄが形成されている。各側板７の下端前端部には、図１及び図２に示すように、当該下端から下方に延びて床面５に接地するアジャスタ２３が取り付けられており、このアジャスタ２３によって各側板７の高さが調整されている。
【００４２】
一方、上記棚板Ｂ１〜Ｂ４は、左右方向の長さ寸法が異なるものの、その他の構成は略同一である。そこで、ここでは、棚板Ｂ１の構成について図４乃至図６を参照して説明する。図４は、図１のIV部拡大図である。なお、図４では、第１スペースＳ１の左右方向中途部を省略し、さらにケースＣ１を省略している。また、図５は、後述する棚板本体２５を示す全体斜視図である。図６は同じく後述する支持具２７を示す図であって、（ａ）は平面図、（ｂ）は正面図、（ｃ）は左側面図、（ｄ）は右側面図である。
【００４３】
上記棚板Ｂ１は、最も右側の側板７とその左側に隣接する側板７との間に配設される棚板本体２５と、これら側板７，７に取り付けられて棚板本体２５の前端部の左右両端及び後端部の左右両端を支持する４つの支持具２７，２７，…と、を組み合わせて有している。
【００４４】
上記棚板本体２５は、図５に示すように矩形板状をなし、その下面２５ａの前後両端部には、各々左右長さ方向全体に亘って互いに平行に直線状に延びる一対の断面矩形状の凹溝２９，２９が設けられている。各凹溝２９は、例えば約３ｍｍの幅を有し、該凹溝２９の端部は、棚板本体２５の左右両端面２５ｂ，２５ｂに開口している。
【００４５】
上記４つの支持具２７，２７，…は、互いに略同じ構成なので、ここでは、図４に示された右側の支持具２７、すなわち、棚板本体２５前端部の右端部を支持する支持具２７の構成について説明し、その他の支持具２７についての説明を省略する。
【００４６】
当該支持具２７は、例えば金属製であって、右側の側板７の左側面に取り付けられて左方に突出する断面Ｌ字状の支持具本体３１と、この支持具本体３１から上方に突出して棚板本体２５の前側の凹溝２９の右端に嵌め込まれる突起状の嵌込部３３と、支持具本体３１を補強する前後一対の補強リブ３５，３５と、を有し、これらは一体に形成されている。
【００４７】
支持具本体３１は、右側の側板７の左側面に図示しないネジで固定される矩形板状の固定板３７と、該固定板３７の上端から左方に突出して棚板本体２５の荷重を受ける矩形板状の荷重受け板３９と、を有している。固定板３７の下半部分には、ネジが挿通するネジ挿通孔３７ａが貫通形成されている一方、荷重受け板３９の中央部及び突出端部には、荷重受け板３９に棚板本体２５を固定するためのネジが挿通するネジ挿通孔３９ａ，３９ａが貫通形成されている。
【００４８】
上記各補強リブ３５は、直角三角形板状のもので、支持具本体３１の固定板３７と荷重受け板３９との間の角部に配設され、固定板３７の左側面上端部と荷重受け板３９の下面とを繋いでいる。
【００４９】
上記嵌込部３３は、左右方向に細長い断面矩形状をなし、上記荷重受け板３９上面の基端側端部に設けられている。この嵌込部３３の幅（前後幅）は、凹溝２９の幅と略同一であって、その前後両側面には、上下方向に延びる多数の突条からなる係止部３３ａが形成されている。この係止部３３ａは、嵌込部３３が棚板本体２５の凹溝２９に嵌め込まれた状態で、凹溝２９の前後両内側面に接触して係合することにより、棚板本体２５の左右方向の移動を規制する規制手段を構成している。
【００５０】
上記構成を備えた棚板Ｂ１を両側板７，７間に設置する際には、先ず、両側板７，７の間隔よりも長い棚板本体２５を左右両側板７，７の間隔に一致する寸法でカットする。そうすると、棚板本体２５に形成された前後一対の凹溝２９，２９は、棚板本体２５の下面２５ａの左右長さ方向全体に亘って設けられているので、棚板本体２５の切り口の前後両端部、すなわち左右方向両端面２５ｂ，２５ｂの前後両端部に凹溝２９，２９が開口する。
【００５１】
また、右側の側板７の左側面に形成されたネジ穴及び左側の側板７の右側面に形成されたネジ穴のうち、ケースＣ１の僅かに上側に位置する互いに同じ高さ位置にある４つのネジ穴にそれぞれ支持具２７，２７，…を取り付ける。このとき、各支持具２７の荷重受け板３９を上側にし、かつ左右方向内側に向けた姿勢で、固定板３７のネジ挿通孔３７ａをネジ穴に同軸とした状態で、固定板３７を側板７の側面に当てて、ネジ止めする。
【００５２】
次いで、カットした棚板本体２５を支持具２７，２７，…の上側に持ってきて、前後の凹溝２９，２９を支持具２７，２７，…の嵌込部３３，３３，…に合わせた状態で、棚板本体２５を支持具２７，２７，…に載せる。そして、凹溝２９，２９の左右両端に嵌込部３３，３３，…を嵌め込む。最後に、各支持具２７の荷重受け板３９に形成された一対のネジ挿通孔３９ａ，３９ａに下側からネジを通し、棚板本体２５を荷重受け板３９にネジ止めする。ここで、棚板本体２５のネジ止めに用いるネジとして、棚板本体２５の各凹溝２９の幅よりも大きい径のものを用いる。これにより、各凹溝２９が呼び込み穴と同様の役割を果たし、棚板本体２５の位置ズレを発生させずに容易にねじ込むことができる。
【００５３】
以上により、棚板Ｂ１をケースＣ１の上側に設置することができる。また、ケースＣ２〜Ｃ４の上側にも同様の手順で棚板Ｂ２〜Ｂ４を設置する。これにより、第１乃至第４スペースＳ１〜Ｓ４が棚板Ｂ１〜Ｂ４によって上下に区画される。
【００５４】
−発明の実施形態の効果−
上記実施形態によれば、側板７に取り付けられたスライダ１３が左右方向に延びるガイドレール１１にスライド移動可能に支持されているので、側板７で仕切られる空間をケースＣ１〜Ｃ４等の収納品の幅に合わせることができる。そして、スライダ１３のスライド移動が規制されることにより、側板７を収納品の幅に合わせた位置で固定することができる。このように、収納品の幅に合わせて収納空間Ｓを仕切ることができる。
【００５５】
また、上記実施形態によれば、収納空間Ｓが上記のように前方に開口されている場合でも、側板７の上部前後両端部を収納空間Ｓの上部前後両端部に設けられたガイドレール１１，１１にスライダ１３，１３を介して取り付けることにより、側板７を左右方向にスライド移動させることができる。また、側板７をガイドレール１１，１１に吊り下げた状態で左右方向にスライド移動させることができるので、側板７を簡単に移動させることができる。
【００５６】
さらに、上記実施形態によれば、収納空間Ｓが前方に開口されている場合に、側板７が上部前後両端部及び下部後端部の３箇所でスライダ１３，１３，１３を介してガイドレール１１，１１，１１に固定されているので、側板７を安定した状態で保持することができ、さらに、側板７の下部前端部がアジャスタ２３を用いて床面５に固定されるので、側板７全体を収納空間Ｓの左右方向所定位置に確実に固定することができる。
【００５７】
また、上記実施形態によれば、従来のように棚板本体の端部に取り付ける部品を別途設ける必要が無く、また、取付現場で棚板本体２５をカットし、カットした棚板本体２５をそのまま支持具２７，２７，…上に載せて凹溝２９に嵌込部３３を嵌め込むだけなので、加工や部材を最小限にしつつ、取付現場で寸法調整が可能であり且つ容易に設置することができる。
【００５８】
そうして、このような棚板Ｂ１〜Ｂ４を用いることによって、各側板７を左右方向にスライド移動させてこれら側板７，７間の間隔を収納品の幅に合わせ、各側板７をその位置で固定し、その後、両側板７，７の間隔に合わせて棚板本体２５をカットし、カットした棚板本体２５を両側板７，７間に設置することにより、収納空間Ｓを収納品の幅に合わせて仕切ることができると共に、仕切られた空間に棚板Ｂ１〜Ｂ４も設置することができる。
【００５９】
また、上記実施形態によれば、棚板本体２５の加工が直線状に凹溝２９，２９を形成するだけなので、棚板本体２５の加工を容易且つ安価に行うことができる
さらにまた、上記実施形態によれば、嵌込部３３の側面に棚板本体２５の移動を規制する係止部３３ａが形成されているので、棚板本体２５を支持具２７，２７，…に支持させるまでに棚板本体２５がずれるのを抑制することができる。
【００６０】
なお、上記実施形態においては、スライダ１３が取り付けられた側板７，７，…及びガイドレール１１をウォークインクローゼットに後付けしてもよいし、新築時に取り付けてもよい。新築時に取り付ける場合には、側板７，７，…を収納空間Ｓの左右方向一方の壁際に寄せておくことにより、収納空間Ｓ全体を利用することができる。そして、必要に応じて収納空間Ｓを仕切る際には、壁際に寄せた側板７，７，…を左右方向にスライド移動させて固定させることにより、収納空間Ｓを左右方向に仕切ることができる。
【００６１】
（本発明の実施形態の変形例１）
図７は、上記実施形態の変形例１に係るスライダ１００を示す図である。該スライダ１００は、断面略逆Ｕ字状をなし、側板７の前後方向端面に取り付けられ、ガイドレール１１の開口部１１ｂ周縁に係合してガイドレール１１に沿ってスライド移動するものである。このように、比較的簡単な構成でスライダ１００を構成することができる。
【００６２】
（本発明の実施形態の変形例２）
図８は、上記実施形態の変形例２に係るスライダ２００のガイドレール１１への取付方法を示す図であって、（ａ）はガイドレール１１に取り付ける前の状態を示す図であり、（ｂ）はガイドレール１１に取付中の状態を示す図であり、（ｃ）はガイドレール１１に取り付けた後の状態を示す図である。
【００６３】
上記スライダ２００は、側板７の前端面に取り付けられる板状の被取付板２１０と、該被取付板２１０から後側に延びる上下一対の脚部２２０，２２０と、を有している。該一対の脚部２２０，２２０の間には、後側に開放されたＶ字状の切欠き２３０が形成されている。また、各脚部２２０の先端部には、前後方向外側に突出する係止爪２２０ａが形成されている。したがって、上記の如く一対の脚部２２０，２２０間に切欠き２３０が形成されているので、一対の脚部２２０，２２０は、上下方向に撓ませて、両者の先端部同士を接触させることができる。そして、先端部同士が接触した状態で、係止爪２２０ａ，２２０ａの上下幅は、レール溝１１ａの開口部１１ｂの上下幅よりも小さくなるように設定されている。
【００６４】
そして、スライダ２００をガイドレール１１に取り付ける際には、先ず、図８（ｂ）に示すように、一対の脚部２２０，２２０を上下方向に撓ませて、脚部２２０，２２０の先端部同士を接触させる。これにより、一対の係止爪２２０ａ，２２０ａの上下幅がガイドレール１１の開口部１１ｂの上下幅よりも小さくなる。続いて、その状態で一対の脚部２２０，２２０をガイドレール１１に差し込む。
【００６５】
次いで、係止爪２２０ａ，２２０ａがガイドレール１１の開口部１１ｂを通過すると、脚部２２０，２２０が元の位置に復帰し、係止爪２２０ａ，２２０ａがガイドレール１１のレール溝１１ａに入る。これにより、スライダ２００が前側に変位しても、係止爪２２０ａ，２２０ａがレール溝１１ａの開口部１１ｂの上下周縁部に係止するため、スライダ２００がガイドレール１１から外れるのを防止することができる。
【００６６】
このように、一対の脚部２２０，２２０を上下方向に撓ませて、レール溝１１ａの開口部１１ｂに差し込むという簡単な作業でスライダ２００をガイドレール１１に取り付けることができる。
【００６７】
（本発明の実施形態の変形例３）
図９（ａ）は、上記実施形態の変形例３に係るスライダ３００を示す全体斜視図である。図９（ｂ）は、本変形例に係るスライダ３００をガイドレール１１に取付中の状態を示す図であり、図９（ｃ）は、該スライダ３００をガイドレール１１取付後の状態を示す図である。
【００６８】
上記スライダ３００は、略円柱状をなし、軸方向の前後両端部３１０，３２０が軸方向中途部よりも大径である。この軸方向の前後両端部は、ガイドレール１１のレール溝１１ａにおける開口部１１ｂの上下寸法よりも大きい径を有している一方、軸方向中途部３３０は、当該上下寸法よりも僅かに小さい径を有している。
【００６９】
スライダ３００の前端部３１０は、側板７の後端面に取り付けられ、後端部３２０は、ガイドレール１１のレール溝１１ａ内に配設される。この後端部３２０は、半円盤状をなし、その直線状の端面がスライダ３００の軸Ｘを通っている。また、軸方向中途部３３０の後半部は、軸Ｘに沿って切り欠かれており、この切欠部３３０ａにおける軸Ｘを通る端面は、後端部３２０の直線状の端面と面一となっている。
【００７０】
そして、スライダ３００をガイドレール１１に取り付ける際には、軸Ｘ周りに回転自在に前端部３１０を側板７の前後方向端面に取り付け、図９（ｂ）に示すように、後端部３２０の軸Ｘを通る端面が左右方向に沿う状態で、当該後端部３２０をレール溝１１ａの開口部１１ｂに通す。
【００７１】
次いで、スライダ３００を軸Ｘ周りに９０度回転させて、後端部３２０の軸を通る端面を上下方向に沿う状態とする。そうすると、後端部３２０の上下寸法がレール溝１１ａの開口部１１ｂの上下幅よりも大きくなる。これにより、スライダ３００が前方に変位しても、後端部３２０の上下両端部がレール溝１１ａの開口部１１ｂの上下周縁部に係止するため、スライダ３００がガイドレール１１から外れるのを防止することができる。
【００７２】
このように、スライダ３００の後端部３２０をレール溝１１ａの開口部１１ｂに差し込んで、スライダ３００を軸Ｘ周りに回転させるという簡単な作業でスライダ３００をガイドレール１１に取り付けることができる。
【００７３】
（その他の実施形態）
上記実施形態では、ガイドレール１１にスライダ１３だけが取り付けられているが、これに限定されず、ガイドレール１１にスライド移動可能に設けられて、物品を吊下支持するフック等の吊下支持具が設けられていてもよい。これにより、ガイドレール１１の任意の位置に物品を吊り下げることができる。
【００７４】
また、上記実施形態では、第１〜第４スペースＳ１〜Ｓ４が棚板Ｂ１〜Ｂ４によって上下に仕切られているが、これに限定されず、必要に応じて棚板Ｂ１〜Ｂ４を設けなくてもよい。その場合、棚板が設けられないスペースには、例えばスキー板などの長尺物を縦置きにして収納することができる。
【００７５】
さらに、上記実施形態では、パイプＰ及びロングパイプＬＰが設けられているが、これに限定されず、これらパイプＰ，ＬＰが設けられていなくてもよい。
【００７６】
また、上記実施形態では、棚板本体２５の左右方向の移動を規制する規制手段として突起３３の側面に形成された溝部３３ａを例示しているが、これに限定されず、棚板本体２５の移動を規制可能な手段が設けられていればよい。
【００７７】
さらに、上記実施形態では、棚板本体２５に形成された凹溝２９，２９の内面が露出しているが、これに限定されず、これら凹溝２９，２９に例えば断面ハット状の化粧部材を嵌め込んでもよい。
【産業上の利用可能性】
【００７８】
以上説明したように、本発明に係る収納空間の仕切構造は、押入れ等の収納空間を収納品に応じたサイズで自在に仕切ることを可能とする用途に適用することができる。
【符号の説明】
【００７９】
７                            側板（仕切パネル）
１１                          ガイドレール
１３，１００，２００，３００  スライダ
２５                          棚板本体
２５ａ                        棚板本体の下面
２９                          凹溝
２７                          支持具
３１                          支持具本体
３３                          嵌込部
３３ａ                        係止部（規制手段）
Ｂ１，Ｂ２，Ｂ３，Ｂ４        棚板
Ｓ                            収納空間
【図１】
2016003547.tif 000003
【図２】
2016003547.tif 000004
【図３】
2016003547.tif 000005
【図４】
2016003547.tif 000006
【図５】
2016003547.tif 000007
【図６】
2016003547.tif 000008
【図７】
2016003547.tif 000009
【図８】
2016003547.tif 000010
【図９】
2016003547.tif 000011